(57)【要約】      （修正有）【課題】アクセサリの取付、又は取外を簡単にできるアクセサリ取付装置を提供する。【解決手段】雄側取付具Ｘ１を突起１、及び環状溝２で構成し、雌側取付具Ｘ２を雌側本体３、挿入穴５及び弾性部材で構成する。アクセサリＸ３を雄側取付具Ｘ１に設け、掴み具Ｘ５を雌側取付具Ｘ２に設ける。雄側取付具Ｘ１及び雌側取付具Ｘ２は、突起１及び弾性部材で被覆繊維生地部分Ｚａｐを挟み込んで、アクセサリＸ３を衣類Ｚに取付ける。掴み具Ｘ５を掴んで、雄側取付具Ｘ１から離間する方向に引張って、アクセサリＸ３を衣類Ｚから取外す。【選択図】図７
0003176791.tif 000002
【実用新案登録請求の範囲】
【請求項１】
繊維生地で形成される衣類において、
記衣類にアクセサリを取付けるアクセサリ取付装置であって、
［Ａ］突起、及び前記突起に形成される環状溝を有し、前記突起を前記繊維生地に押付け、前記突起及び前記環状溝を前記繊維生地で被覆して被覆繊維生地部分を形成する、雄側取付具と、
［Ｂ］雌側本体、前記雌側本体に形成される挿入穴、及び前記挿入穴内に配置される弾性部材を有し、前記被覆繊維生地部分及び前記被覆繊維生地部分で被覆した前記突起を前記挿入穴及び前記弾性部材に挿通し、前記弾性部材を前記被覆繊維生地部分で被覆した前記環状溝内に装着すると共に、前記環状溝への装着に伴って、前記弾性部材で前記被覆繊維生地部分を前記突起に付勢する、雌側取付具と、
［Ｃ］前記繊維生地の表面に配置され、前記雄側取付具又は前記雌側取付具に装着される、アクセサリと、
［Ｄ］前記雄側取付具又は前記雌側取付具に設けられる、掴み具と、
を備え、
［Ｅ］前記雄側取付具、及び前記雌側取付具は、
前記環状溝内において、前記突起及び前記弾性部材で前記被覆繊維生地部分を挟み込んで、前記アクセサリを前記衣類に取付け、
［Ｆ］前記掴み具は、
前記被覆繊維生地部分で被覆した前記環状溝から前記弾性部材を抜出す方向へ引張自在である
ことを特徴とするアクセサリ取付装置。
【請求項２】
［Ｇ］前記雄側取付具は、前記繊維生地の表面に配置され、
［Ｈ］前記雌側取付具は、前記繊維生地の裏面に配置され、
［Ｉ］前記掴み具は、
前記雌側本体に設けられ、
前記雌側本体外側に突出して、前記挿入穴の穴中心線に直交する方向へ延設されてなる
ことを特徴とする請求項１に記載のアクセサリ取付装置。
【請求項３】
［Ｊ］前記掴み具は、
前記挿入穴の穴中心線に直交する方向へ延設されつつ、前記繊維生地の裏面から離間する方向へ傾斜してなる
ことを特徴とする請求項２に記載のアクセサリ取付装置。
【請求項４】
［Ｋ］前記掴み具又は前記雌側本体に対し、取付又は取外自在な連結具を備え、
［Ｌ］前記雄側取付具、及び前記雌側取付具は、
前記アクセサリの取付前において、前記突起を前記挿入穴及び前記弾性部材に挿通し、前記弾性部材を前記環状溝内に装着すると共に、前記環状溝の装着に伴って、前記弾性部材を前記突起に付勢して、一体化され、
［Ｍ］前記掴み具は、
前記環状溝から前記弾性部材を抜出す方向へ引張自在である
ことを特徴とする請求項１に記載のアクセサリ取付装置。
【考案の詳細な説明】
【技術分野】
【０００１】
本考案は、アクセサリ（装飾品）を衣類に取付けるアクセサリ取付装置に関する。
【背景技術】
【０００２】
近年、アクセサリ（装飾品）を衣類の表面に取付けことで、衣類の装飾性、デザイン性を高めることが提案されている。
【０００３】
アクセサリの取付技術として、特許文献１は、アクセサリ類を配置する雄側部材、及び雌側部材を備えるアクセサリ類取付具を開示する。アクセサリ類取付具は、雄側部材及び雌側部材で靴下等の被装着物を挟み込んで、アクセサリ類を被装着物に取付ける。具体的には、雄側部材の係合部を被装着物の表面から押付け、被装着物を表側から裏側に押出して、雌側部材の穴内に係合部及び被装着物を挿入する。続いて、雄側部材の軸部、及び雌側部材の複数の係合片で被装着物を挟み込んで、アクセサリ類を被装着物に取付ける。
【０００４】
しかしながら、特許文献１では、雄側部材をやや傾斜させが状態にして、雄側部材の係合部及び被装着物を雌側部材内に挿入し、又は雌側部材内から抜出すため、アクセサリ類を簡単に取付け、又は取外すことができない。
【先行技術文献】
【特許文献】
【０００５】
【特許文献１】特開２００５−９５２２８号公報
【考案の概要】
【考案が解決しようとする課題】
【０００６】
本考案は、アクセサリの取付、及びアクセサリの取外を簡単、容易にできるアクセサリ取付装置を提供することにある。
【課題を解決するための手段】
【０００７】
本考案に係る請求項１は、繊維生地で形成される衣類において、前記衣類にアクセサリを取付けるアクセサリ取付装置であって、［Ａ］突起、及び前記突起に形成される環状溝を有し、前記突起の軸端を前記繊維生地に押付け、前記突起及び前記環状溝を前記繊維生地で被覆して被覆繊維生地部分を形成する、雄側取付具と、［Ｂ］雌側本体、前記雌側本体に形成される挿入穴、及び前記挿入穴内に配置される弾性部材を有し、前記被覆繊維生地部分及び前記被覆繊維生地部分で被覆した前記突起を前記挿入穴及び前記弾性部材に挿通し、前記弾性部材を前記被覆繊維生地部分で被覆した前記環状溝内に装着すると共に、前記環状溝への装着に伴って、前記弾性部材で前記被覆繊維生地部分を前記突起に付勢する、雌側取付具と、［Ｃ］前記繊維生地の表面に配置され、前記雄側取付具又は前記雌側取付具に装着される、アクセサリと、［Ｄ］前記雄側取付具又は前記雌側取付具に設けられる、掴み具と、を備え、［Ｅ］前記雄側取付具、及び前記雌側取付具は、前記環状溝内において、前記突起及び前記弾性部材で前記被覆繊維生地部分を挟み込んで、前記アクセサリを前記衣類に取付け、［Ｆ］前記掴み具は、前記被覆繊維生地部分で被覆した前記環状溝から前記弾性部材を抜出す方向へ引張自在であることを特徴とするアクセサリ取付装置に関する。
【０００８】
本考案に係る請求項２は、［Ｇ］前記雄側取付具は、前記繊維生地の表面に配置され、［Ｈ］前記雌側取付具は、前記繊維生地の裏面に配置され、［Ｉ］前記掴み具は、前記雌側本体に設けられ、前記雌側本体外側へ突出して、前記挿入穴の穴中心線に直交する方向へ延設されてなることを特徴とする請求項１に記載のアクセサリ取付装置に関する。
【０００９】
本考案に係る請求項３は、［Ｊ］前記掴み具は、前記挿入穴の穴中心線に直交する方向へ延設されつつ、前記繊維生地の裏面から離間する方向へ傾斜してなることを特徴とする請求項２に記載のアクセサリ取付装置に関する。
【００１０】
本考案に係る請求項４は、［Ｋ］前記掴み具又は前記雌側本体に対し、取付又は取外自在な連結具を備え、［Ｌ］前記雄側取付具、及び前記雌側取付具は、前記アクセサリの取付前において、前記突起を前記挿入穴及び前記弾性部材に挿通し、前記弾性部材を前記環状溝内に装着すると共に、前記環状溝への装着に伴って、前記弾性部材を前記突起に付勢して、一体化され、［Ｍ］前記掴み具は、前記環状溝から前記弾性部材を抜出す方向へ引張自在であることを特徴とする請求項１乃至３の何れかに記載のアクセサリ取付装置に関する。
【考案の効果】
【００１１】
本考案に係る請求項１では、雄側取付具の突起を繊維生地に押付け、突起及び環状溝を繊維生地で被覆する被覆繊維生地部分を形成する。被覆繊維生地部分及び被覆繊維生地部分で被覆した突起は、雌側取付具の挿入穴及び弾性部材に挿入する。雌側取付具の弾性部材は、被覆繊維生地部分及び被覆繊維生地部分で被覆した突起の挿通に伴って、被覆繊維生地部分で被覆した環状溝内に装着される。弾性部材は、環状溝内への装着に伴って、被覆繊維生地部分を突起に付勢する。
これにより、雄側取付具、及び雌側取付具は、相互に一体化され、被覆繊維生地部分で被覆した環状溝内において、突起及び弾性部材で被覆繊維生地部分を挟み込んで、アクセサリを衣類の表面に取付ける。このように、雄側取付具の突起を繊維生地に押付け、雌側取付具の挿入穴及び弾性部材に挿通するだけで、簡単、容易に、アクセサリを衣類に取付けることができる。
本考案に係る請求項１では、掴み具を掴んで、被覆繊維生地部分で被覆した環状溝から弾性部材を抜出す方向へ引張ると、掴み具の引張に追従して、雄側取付具又は雌側取付具を引張ることができ、弾性部材を被覆繊維生地部分で被覆した環状溝から抜出すことが可能となる。雄側取付具及び雌側取付具は、被覆繊維生地部分の挟み込みを解放し、相互に分離される。
これにより、アクセサリは、掴み具を引張るだけで、簡単、容易に、アクセサリを衣類から取外せる。また、アクセサリは、直接、雄側取付具又は雌側取付具を掴んで、無理無理矢理引張ることなく、衣類から取外すことが可能となる。
【００１２】
本考案に係る請求項２では、アクセサリを衣類に取付けると、掴み具は、繊維生地の裏面において、雌側本体外側に位置される。そして、雌側取付具の弾性部材は、雌側本体外側で、掴み具を掴んで繊維生地の裏面、雄側取付具から離間する方向へ引張ることで、被覆繊維生地部分で被覆した環状溝から抜出すことができる。また、雌側取付具（雌側本体）は、掴み具の引張に追従して繊維生地の裏面、雄側取付具から離間する方向へ引張られ（移動され）、雄側取付具（突起）から分離される。
これにより、アクセサリの取外は、掴み具を引張る動作のみで、簡単、容易に行うことが可能となる。
【００１３】
本考案に係る請求項３では、アクセサリを衣類に取付けると、掴み具は、繊維生地の裏面において、雌側本体外側に位置され、繊維生地の裏面から離間する方向に傾斜する。
これにより、掴み具を人の手指で掴むとき、手指を繊維生地の裏面及び掴み具の間に容易に挿入できる。
【００１４】
本考案に係る請求項４では、アクセサリの取付前において、突起を挿入穴及び弾性部材に挿通し、弾性部材を環状溝内に装着する。弾性部材は、環状溝内への装着に伴って、突起に付勢される。
雄側取付具及び雌側取付具は、アクセサリの取付前、繊維生地を挟み込むことなく、一体化される。掴み具又は雌側本体には、連結具を取付ける。連結具は、鞄、携帯端末等の被取付体に取付ける。
これにより、アクセサリ取付装置は、アクセサリの取付前において、雄側取付具及び雌側取付具の紛失を防止し、アクセサリで被取付体のデザイン性、装飾性を高めることが可能となる。
【図面の簡単な説明】
【００１５】
【図１】アクセサリ取付装置を示す正面図である。
【図２】雄側取付具及びアクセサリを示す図であって、（ａ）は上面図、（ｂ）は正面図、（ｃ）は底面図である。
【図３】雄側取付具及びアクセサリを示す図であって、（ａ）は図２（ｂ）のＡ−Ａ断面図、（ｂ）は図３（ａ）の拡大断面図である。
【図４】雌側取付具及び掴み具を示す図であって、（ａ）は雌側本体及び掴み具の斜視図、（ｂ）は正面図、（ｃ）は上面図である。
【図５】雌側取付具及び掴み具を示す図であって、（ａ）は背面図、（ｂ）は底面図、（ｃ）は側面図である。
【図６】雄側取付具及び掴み具を示す図であって、（ａ）は図４（ｂ）のＢ−Ｂ一部断面図、（ｂ）は図４（ｃ）のＣ−Ｃ断面図である。
【図７】アクセサリの取付を説明する図であって、（ａ）は雄側取付具の突起を繊維生地に押付けた状態の正面図、（ｂ）は被覆繊維生地部分で被覆した突起を弾性部材に押付けた状態の一部断面正面図である。
【図８】アクセサリの取付を説明する図であって、（ａ）は図７（ｂ）のＤ−Ｄ矢視で突起を挿入穴に挿通した状態の図、（ｂ）は図７（ｂ）のＤ−Ｄ矢視で突起を弾性部材に押付けた状態の図である。
【図９】アクセサリの取付を説明する図であって、（ａ）は弾性部材を被覆繊維生地部分で被覆した環状溝内に装着した状態の一部断面書面図、（ｂ）は図９（ａ）のＥ−Ｅ一部断面図である。
【図１０】アクセサリの取外を説明する図であって、（ａ）は正面図、（ｂ）は図１０（ａ）のＦ−Ｆ矢視図である。
【図１１】アクセサリの取外を説明する図であって、（ａ）は、図１０（ｂ）のＧ−Ｇ矢視図、（ｂ）は雄側取付具及び雌側取付具を分離した状態の一部断面正面図である。
【図１２】雄側取付具及び掴み具を示す図であって、（ａ）は正面図、（ｂ）は図１２（ａ）のＨ−Ｈ矢視図である。
【図１３】雌側取付具及びアクセサリを示す図であって、（ａ）は正面図、（ｂ）は底面図、（ｂ）は図１３（ａ）のＩ−Ｉ断面図である。
【図１４】アクセサリの取付を説明する図であって、雄側取付具及び雌側取付具の配置を示す正面図である。
【図１５】アクセサリの取付を示す図であって、（ａ）は突起を繊維生地の裏面に押付けた状態の一部断面正面図、（ｂ）は弾性部材を被覆繊維生地部分で被覆した環状溝内に装着した状態の一部断面正面図である。
【図１６】アクセサリの取外を説明する正面図である。
【図１７】雌側取付具及び掴み具を示す図であって、（ａ）は上面図、（ｂ）は底面図である。
【図１８】アクセサリの取付、取外を説明する図であって、（ａ）は雄側取付具及び雌側取付具を一体化した一部断面正面図、（ｂ）は雄側取付具及び雌側取付具を分離した一部断面正面図である。
【図１９】アクセサリを被取付体に取付けた状態を示す図であって、（ａ）は上面図、（ｂ）は正面図である。
【図２０】下肢衣類、下肢及びアクセサリ取付装置の関係を示す図である。
【考案を実施するための形態】
【００１６】
本考案に係るアクセサリ取付装置について、図１乃至図２０を参照して説明する。
【００１７】
図１乃至図２０において、アクセサリ取付装置（Ｘ）は、繊維生地（Ｚａ）で形成される衣類（Ｚ）において、衣類（Ｚ）にアクセサリ（Ｘ３）を取付ける（図２０参照）。
【００１８】
＜実施形態１＞
図１乃至図６において、アクセサリ取付装置（Ｘ）は、雄側取付具（Ｘ１）、雌側取付具（Ｘ２）、アクセサリ（Ｘ３）及び掴み具（Ｘ５）を備えている。
【００１９】
雄側取付具（Ｘ１）は、図１乃至図３に示すように、突起（１）及び環状溝（２）を有している。
【００２０】
突起（１）は、例えば、合成樹脂等で円柱（円形軸）に形成される。突起（１）は、軸方向（Ｌ）に第１軸端（１ａ）及び第２軸端（１ｂ）を有している。
突起（１）の第１軸端（１ａ）側は、円弧外周（１ｃ）に形成されている。円弧外周（１ｃ）は、軸方向（Ｌ）に直交する方向（Ｈ）に突出している。また、円弧外周（１ｃ）は第１軸端（１ａ）から第２軸端（１ｂ）に向けて延設される。突起（１）は、直径：Ｄ１（外径）に設定される。
【００２１】
環状溝（２）は、突起（１）に形成される。環状溝（２）は、突起（１）外周に開口している。
環状溝（２）は、図２及び図３に示すように、溝深：Ｔの多角形溝底、例えば、複数（６つ）の溝底（２ａ）〜（２ｆ）でなる正六角溝底（２Ａ）に形成される。複数の溝底（２ａ）〜（２ｆ）は、軸方向（Ｌ）に直交する方向（Ｈ）の断面において、突起（１）の正六角形外周を構成する。正六角形溝底（２Ａ）は、図３に示すように、軸方向（Ｌ）の軸心（ａ）を突起（１）の軸心線（ｂ）に同心として配置される。また、環状溝（２）は、図２（ｂ）に示すように、軸方向（Ｌ）において、溝幅：Ｆに設定される。
【００２２】
上記構成の雄側取付具（Ｘ１）は、衣類（Ｚ）の繊維生地（Ｚａ）の表面（Ｚ１）又は裏面（Ｚ２）の一方側、例えば繊維生地（Ｚａ）の表面（Ｚ１）に配置される（図１参照）。
雄側取付具（Ｘ１）は、突起（１）の第１軸端（１ａ）を繊維生地（Ｚａ）に押付け、突起（１）及び環状溝（２）を繊維生地（Ｚａ）で被覆して被覆繊維生地部分（Ｚａｐ）を形成する（図７参照）。
【００２３】
雌側取付具（Ｘ２）は、図１、図４乃至図６に示すように、雌側本体（３）、挿入穴（５）及び弾性部材（６）を有している。
【００２４】
雌側本体（３）は、図４乃至図６に示すように、例えば合成樹脂等で円形板に形成される。雌側本体（３）は、表側面（３ａ）及び裏側面（３ｂ）を有する。
また、雌側本体（１）は、複数（２つ）の横装着穴（３Ａ）、（３Ａ）、及び縦装着穴（３Ｂ）を有している。各横装着穴（３Ａ）、（３Ａ）は、図６に示すように、雌側本体（１）の中心線（ｃ）に直交する方向（Ｈ）に並設される。各横装着穴（３Ａ）、（３Ａ）は、雌側本体（３）外周（３ｃ）に夫々開口し、雌側本体（１）を挿通（貫通）している。
縦装着穴（３Ｂ）は、図６に示すように、各横装着溝（３Ａ）、（３Ａ）に直交する方向（Ｆ）に延設される。縦装着溝（３Ｂ）は雌側本体（３）外周（３ｃ）に開口している。
各横装着溝（３Ａ）、（３Ａ）及び縦装着溝（３Ｂ）は同一平面上に配置される。
【００２５】
挿入穴（５）は、図１乃至図６に示すように、雌側本体（３）に形成される。挿入穴（５）は、例えば、円形穴に形成され、直径：Ｄ２（内径）に設定される。
挿入穴（５）は、雌側本体（３）の表側面（３ａ）及び裏側面（３ｂ）に開口し、雌側本体（１）を挿通（貫通）している。また、挿入穴（５）は、穴中心線（ｄ）を雌側本体（１）の中心線（ｃ）に同心として配置され、各横装着穴（３Ａ）、（３Ａ）及び縦装着穴（３Ｂ）と連通している。
挿入穴（５）の直径：Ｄ２（内径）、及び突起（１）の直径：Ｄ１（外径）は、直径：Ｄ２＞直径：Ｄ１の関係である。
これにより、雄側取付具（Ｘ１）の突起（１）は、第１軸端（１ａ）から雌側本体（１）の挿入穴（５）内に挿入できる。
【００２６】
弾性部材（６）は、図４乃至図６に示すように、挿入穴（５）内に配置される。弾性部材（６）は、バネ線材で多角形、例えば、複数（３本）の線材辺（６ａ）〜（６ｃ）で正三角形に形成される。各線材辺（６ａ）〜（６ｃ）は、正三角形の複数（３つ）の角部（６Ａ）〜（６Ｃ）を形成している。
【００２７】
そして、弾性部材（６）の角部（６Ａ）において、各線材辺（６ａ）、（６ｂ）は、図６に示すように、相互に連結されることなく、隙間を隔てて配置される。
弾性部材（６）は、各線材辺（６ａ）〜（６ｃ）を挿入穴（５）内に配置し、各角部（６Ａ）〜（６Ｃ）を各横装着穴（３Ａ）、（３Ａ）内及び縦装着穴（３Ｂ）内の夫々に配置する。これにより、弾性部材（６）は、各装着穴（３Ａ）、（３Ａ）、（６Ｂ）内において、各角部（６Ａ）〜（６Ｃ）を通して雌側本体（１）に弾性変形自在として支持される。
このとき、各角部（６Ｂ）、（６Ｃ）の線材辺（６ｂ）は、図６（ａ）に示すように、各横装着溝（３Ａ）、（３Ａ）内で雌側本体（１）に当接される。これにより、弾性部材（６）は、雌側本体（１）に対し、挿入穴（５）の穴中心線（ｄ）周りの回転が規制される。
また、各角部（６Ａ）〜（６Ｃ）は、図６（ｂ）に示すように、各装着穴（３Ａ）、（３Ａ）、（３Ｂ）内で雌側本体（１）に当接自在である。これにより、弾性部材（６）は、挿入穴（５）の穴中心線（ｄ）方向の移動が規制される。
【００２８】
また、弾性部材（６）の各線材辺（６ａ）〜（６ｃ）は、例えば円形の丸バネ線材で形成され、直径：ｄ２（外径）に設定される。各線材辺（２ａ）〜（２ｃ）の直径：ｄ２（外径）及び環状溝（２）の溝幅：Ｆは、直径：ｄ２＜溝幅：Ｆの関係である。
これにより、弾性部材（６）の各線材辺（６ａ）〜（６ｃ）を環状溝（２）内に装着できる。
更に、弾性部材（６）の角数：Ｒ１、及び環状溝（２）の角数：Ｋ２は、２×Ｋ１＝Ｋ２の関係である。
【００２９】
雌側取付具（Ｘ２）は、衣類（Ｚ）の繊維生地（Ｚａ）の表面（Ｚ１）又は裏面（Ｚ２）の他方側、例えば繊維生地（Ｚａ）の裏面（Ｚ２）に配置される（図１参照）。
雌側取付具（Ｘ２）は、被覆繊維生地部分（Ｚａｐ）、及び被覆繊維生地部分（Ｚａｐ）で被覆した突起（１）を挿入穴（５）及び弾性部材（６）に挿通し、弾性部材（６）を被覆繊維生地部分（Ｚａｐ）で被覆した環状溝（２）内に装着する（図９参照）。
また、雌側取付具（Ｘ２）は、弾性部材（６）の環状溝（２）への装着に伴って、弾性部材（６）で被覆繊維生地部分（Ｚａｐ）を突起（１）に付勢する（図９参照）。
【００３０】
アクセサリ（Ｘ３）は、図１及び図２に示すように、衣類（Ｚ）の繊維生地（Ｚａ）の表面（Ｚ１）に配置され、雄側取付具（Ｘ１）に装着される。
アクセサリ（Ｘ３）は、例えば円形ドーム状に形成され、雄側取付具（Ｘ１）において、突起（１）の第２軸端（１ｂ）に固定される。
アクセサリ（Ｘ３）は、貴金属又は宝石等の宝飾品、ブローチ等又はバッチ、動植物やキャラクタ等を模式した装飾品全般を意味する。
【００３１】
掴み具（Ｘ５）は、図１、図４乃至図６に示すように、雄側取付具（Ｘ１）又は雌側取付具（Ｘ２）、例えば雌側取付具（Ｘ２）に設けられる。
掴み具（Ｘ５）は、図４乃至図６に示すように、複数（２つ）の掴み部（８）、（９）を有している。各掴み部（８）、（９）は、例えば合成樹脂等で雌側本体（３）に一体形成される。
各掴み部（８）、（９）は、挿入穴（５）の両側に夫々配置される。また、各掴み部（８）、（９）は、図６に示すように、各横装着穴（６Ａ）、（６Ａ）及び縦装着穴（６Ｂ）間に夫々配置される。
各掴み部（８）、（９）は、雌側本体（３）外周（３ｃ）から雌側本体（３）外側に突出して、挿入穴（６）の穴中心線（ｄ）に直交する方向（Ｈ）に延設されてなる。
また、各掴み部（８）、（９）は、穴中心線（ｄ）に直交する方向（Ｈ）に延設しつつ、雌側本体（３）の表側面（３ａ）から裏側面（３ｂ）に向って傾斜される。
【００３２】
次に、アクセサリ（Ｘ３）の取付、及びアクセサリ（Ｘ３）の取外について、図１乃至図１１を参照して説明する。
【００３３】
＜アクセサリ（Ｘ３）の取付＞
アクセサリ取付装置（Ｘ）は、図２０に示すように、衣類（Ｚ）にアクセサリ（Ｘ３）を取付ける。衣類（Ｚ）としては、例えば、下肢（Ｙ）の全体又は一部を被覆する下肢衣類である。また、下肢衣類は、下肢（Ｙ）全体を被覆するパンティーストッキング（以下、「パンティーストッキング（Ｚ：下肢衣類）と称する」がある。下肢衣類は、タイツ、ソックス、ストッキング、レギンス、トレンカ又はスパッツ等でも良い。パンティーストッキング（Ｚ：下肢衣類）は、伸縮性の繊維生地（Ｚａ）で形成される。
なお、下肢（Ｙ）は、一般に、人の脚を意味し、図２０に示すように、骨盤部（Ｙ１）、上腿部（Ｙ２：大腿部）、下腿部（Ｙ３）及び足部（Ｙ４）で構成される。
また、衣類（Ｚ）は、下肢衣類に限定されず、ブラウス、ズボン（パンツ）、シャツ（Ｔシャツ等）、スカート、ワンピース、ドレス、ネクタイ、エプロン、着物等の被服全般を意味する。
【００３４】
図１において、雄側取付具（Ｘ１）は、パンティーストッキング（Ｚ：下肢衣類）の繊維生地（Ｚａ）の表面（Ｚ１）に配置される。
このとき、雄側取付具（Ｘ１）の突起（１）は、第１軸端（１ａ）を繊維生地（Ｚａ）の表面（Ｚ１）に対峙して配置される。これにより、アクセサリ（Ｘ３）も繊維生地（Ｚａ）の表面（Ｚ１）に配置される。
【００３５】
図１において、雌側取付具（Ｘ２）は、繊維生地（Ｚａ）に裏面（Ｚ２）に配置される。
このとき、雌側本体（３）は、雌側本体（３）の表側面（３ａ）を繊維生地（Ｚａ）の裏面（Ｚ２）に対峙して配置される。これにより、掴み具（Ｘ５）の各掴み部（８）、（９）も繊維生地（Ｚａ）に裏面（Ｚ２）に配置される。
【００３６】
続いて、雄側取付具（Ｘ１）において、図７に示すように、突起（１）の第１軸端（１ａ）を繊維生地（Ｚａ）の表面（Ｚ１）に押付け、繊維生地（Ｚａ）を裏面（Ｚ２）、雌側取付具（Ｘ２）側に伸長する。
これにより、雄側取付具（Ｘ１）は、図７（ａ）に示すように、突起（１）及び環状溝（２）を繊維生地（Ｚａ）で被覆して被覆繊維生地部分（Ｚａｐ）を形成する。
【００３７】
雌側取付具（Ｘ２）において、図７（ｂ）に示すように、被覆繊維生地部分（Ｚａｐ）、及び被覆繊維生地部分（Ｚａｐ）で被覆した突起（１）を挿入穴（５）に挿通する。
これにより、被覆繊維生地部分（Ｚａｐ）で被覆した突起（１）は、雌側本体（３）の表側面（３ａ）から挿入穴（５）内に挿入され、図７（ｂ）及び図８（ａ）に示すように、第１軸端（１ａ）側の円弧外周（１ｃ）を弾性部材（６）の各線材辺（６ａ）〜（６ｃ）に夫々当接させる。
【００３８】
更に、被覆繊維生地部分（Ｚａｐ）で被覆した突起（１）を弾性部材（６）に押付けると、弾性部材（６）の各角部（６Ａ）〜（６Ｃ）は、図７（ｂ）に示すように、各装着穴（３Ａ）、（３Ａ）、（３Ｂ）内で雌側本体（１）に当接する。これにより、弾性部材（６）は、挿入穴（５）の穴中心線（ｄ）方向への移動が雌側本体（１）で規制され、穴中心線（ｄ）周りでの弾性変形を可能とする。
そして、弾性部材（６）の各線材辺（６ａ）〜（６ｃ）は、図８（ｂ）に示すように、突起（１）からの押付けを受けると、挿入穴（５）の穴中心線（ｄ）周りにおいて、相互に離間する方向へ弾性変形する。これにより、弾性部材（６）は拡張（弾性変形）する。
続いて、各線材辺（６ａ）〜（６ｃ）は、突起（１）の円弧外周（１ｃ）で案内されつつ被覆繊維生地部分（Ｚａｐ）及び被覆繊維部分（Ｚａｐ）で被覆した突起（１）を挿通し、被覆繊維生地部分（Ｚａｐ）で被覆した環状溝（６）内に装着される。
【００３９】
図９において、弾性部材（６）の線材辺（６ａ）は、例えば、被覆繊維生地部分（Ｚａｐ）で被覆した環状溝（２）の溝底（２ｂ）に当接する。
また、弾性部材（６）の線材辺（６ｂ）は、例えば被覆繊維生地部分（Ｚａｐ）で被覆した環状溝（２）の溝底（２ｄ）に当接する。
更に、弾性部材（６）の線材辺（６ｃ）は、例えば被覆繊維生地部分（Ｚａｐ）で被覆した環状溝（２）の溝底（２ｆ）に当接する。
また、弾性部材（６）は、被覆繊維生地部分（Ｚａｐ）で被覆した環状溝（２）内に装着されると、拡張（弾性変形）から元の正三角形に戻されるので、付勢力（ｆ：バネ力ｆ）で被覆繊維生地部分（Ｚａｐ）を突起（１）に付勢する。
これにより、雌側取付具（Ｘ２）は、図９に示すように、弾性部材（６）の環状溝（２）への装着に伴って、弾性部材（６）で被覆繊維生地部分（Ｚａｐ）を突起（１）に付勢する。
そして、雄側取付具（Ｘ１）及び雌側取付具（Ｘ２）は、相互に一体化され、環状溝（２）内において、突起（１）及び弾性部材（６）で被覆繊維生地部分（Ｚａｐ）を挟み込んで、アクセサリ（Ｘ３）をパンティーストッキング（Ｚ：下肢衣類）の表面（Ｚ２）に取付ける。
このとき、弾性部材（６）の各線材辺（６ａ）〜（６ｃ）は、図９に示すように、正六角溝底（２Ａ）の溝底（２ｂ）、（２ｄ）、（２ｆ）に夫々当接する。
また、各角部（６Ｂ）、（６Ｃ）の線材辺（６ｂ）は、図９（ｂ）に示すように、各横装着穴（３Ａ）、（３Ａ）内で雌側本体（１）に当接する。
これにより、雄側取付具（Ｘ１）及びアクセサリ（Ｘ３）と、雌側取付具（Ｘ２）は相対的な回転が規制され、アクセサリ（Ｘ３）はパンティーストッキング（Ｚ：下肢衣類）に取付けても、雌側取付具（Ｘ２）に対して回転しない。
【００４０】
＜アクセサリ（Ｘ３）の取外＞
アクセサリ（Ｘ３）をパンティーストッキング（Ｚ：下肢衣類）に取付けると、掴み具（Ｘ５）の各掴み部（８）、（９）は、図１０に示すように、繊維生地（Ｚａ）の裏面（Ｚ２）に配置される。
このとき、各掴み部（８）、（９）は、挿入穴（５）の穴中心線（ｄ）に直交する方向（Ｈ）で雌側本体（３）外側に位置するので、被覆繊維生地部分（Ｚａｐ）で被覆した環状溝（２）から弾性部材（６）を抜出す方向（Ｑ）に引張自在となる。
また、各掴み部（８）、（９）は、図１０に示すように、挿入穴（５）の穴中心線（ｄ）に直交する方向（Ｈ）に延設しつつ、繊維生地（Ｚａ）の裏面（Ｚ２）から離間する方向（Ｑ）［抜出す方向（Ｑ）］に傾斜してなる。
【００４１】
続いて、図１０及び図１１に示すように、人の手指、例えば親指（Ｆ１）を繊維生地（Ｚａ）の裏面（Ｚ２）及び一方側の掴み部（８）の間に挿入し、親指（Ｆ１）を掴み部（８）の表側面（８ａ）に配置する。また、例えば、人差指（Ｆ２）を掴み部（８）の裏側面（８ａ）に配置して、親指（Ｆ１）及び人差指（Ｆ２）で掴み部（８）を掴む。
このとき、掴み部（８）、（９）は、雌側本体（３）外側に延設され、更に繊維生地（Ｚａ）の裏面（Ｚ２）から離間する方向（Ｑ）へ傾斜しているので、人の手指を繊維生地（Ｚａ）の裏面（Ｚ２）及び掴み部（８）の間に容易に挿入できる。
【００４２】
そして、繊維生地（Ｚａ）の表面（Ｚ１）からアクセサリ（Ｘ３）を掴んで、掴み部（８又は９）を繊維生地（Ｚａ）の裏面（Ｚ２）、雄側取付具（Ｘ１）から離間する方向（Ｑ）へ引張る［図１０参照］。
このとき、雌側本体（３）及び弾性部材（６）は、掴み部（８又は９）の引張に追従して、繊維生地（Ｚａ）の裏面（Ｚ２）及び雄側取付具（Ｘ１）から離間する方向（Ｑ）に引張られ、更に弾性部材（６）は、被覆繊維生地部分（Ｚａｐ）で被覆した環状溝（６）内から被覆繊維生地部分（Ｚａｐ）で被覆した突起（１）の円弧外周（１ｃ）に当接し、円弧外周（１ｃ）で拡張、案内されながら突起（１）の第１軸端（１ａ）に至る。
続いて、雌側取付具（Ｘ２）の弾性部材（６）は、図１１（ｂ）に示すように、被覆繊維生地部分（Ｚａｐ）で被覆した環状溝（２）から抜出される。また、被覆繊維生地部分（Ｚａｐ）で被覆した突起（１）は、弾性部材（６）及び挿入穴（５）から抜出される。
これにより、雄側取付具（Ｘ１）及び雌側取付具（Ｘ２）は、被覆繊維生地部分（Ｚａｐ）の挟み込みを解放し、相互に分離される。
【００４３】
そして、アクセサリ（Ｘ３）及び雄側取付具（Ｘ１）を繊維生地（Ｚａ）の表面（Ｚ１）から取外す。
【００４４】
次に、アクセサリ取付装置（Ｘ）の実施形態２乃至４について、図１２乃至図１９を参照して説明する。
なお、図１２乃至図１９において、図１乃至図１１、及び図２０と同一符号は、同一部材又は同一構成を示すので、その詳細な説明は省略する。
【００４５】
＜実施形態２＞
図１２乃至図１６において、アクセサリ取付装置（Ｘ）は、雄側取付具（Ｘ１）、雌側取付具（Ｘ２）、アクセサリ（Ｘ３）及び掴み具（Ｘ４）を備え、掴み具（Ｘ５）を雄側取付具（Ｘ１）に設けてなる。
【００４６】
雄側取付具（Ｘ１）は、図１２に示すように、突起（１）及び環状溝（２）を有している。雌側取付具（Ｘ２）は、図１３に示すように、雌側本体（３）、挿入穴（５）及び弾性部材（６）を有している。雄側取付具（Ｘ１）、及び雌側取付具（Ｘ２）は、図１乃至図６で説明したと同一構成である。
【００４７】
アクセサリ（Ｘ３）は、図１３に示すように、雌側取付具（Ｘ２）に装着される。アクセサリ（Ｘ３）は、雄側本体（３）の表側面（３ａ）に固定される。
【００４８】
掴み具（Ｘ５）は、図１２に示すように、雄側取付具（Ｘ１）に設けられる。掴み具（Ｘ５）は、例えば合成樹脂等で円形板の掴み部（１０）に形成される。掴み部（１０）は、突起（１）の第２軸端（１ｂ）に一体形成される。
掴み部（１０）は、突起（１）外側に突出して、突起（１）の軸心線（ｂ）に直交する方向（Ｈ）に延設されている。また、掴み部（１０）は、突起（１）から離間する方向（Ｐ：第２軸端（１ｂ）の下方向）に傾斜してなる。
【００４９】
＜アクセサリ（Ｘ３）の取付＞
図１４において、雄側取付具（Ｘ１）は、繊維生地（Ｚａ）の裏面（Ｚ２）に配置される。このとき、突起（１）は、第１軸端（１ａ）を繊維生地（Ｚａ）の裏面（Ｚ２）に対峙して配置される。これにより、掴み部（１０）も繊維生地（Ｚａ）の裏面（Ｚ２）に配置される。
雌側取付具（Ｘ２）は、繊維生地（Ｚａ）の表面（Ｚ１）に配置される。このとき、雌側本体（３）は、裏側面（３ｂ）を繊維生地（Ｚａ）の表面（Ｚ）に対峙して配置される。これにより、アクセサリ（Ｘ３）も繊維生地（Ｚａ）の表面（Ｚ１）に配置される［図１４参照］。
【００５０】
続いて、図１５において、突起（１）の第１軸端（１ａ）を繊維生地（Ｚａ）に裏面（Ｚ２）に押付け、繊維生地（Ｚａ）を表面（Ｚ１）、雌側取付具（Ｘ２）側に伸長する。
これにより、雄側取付具（Ｘ１）は、図１５（ａ）に示すように、突起（１）及び環状溝（２）を繊維生地（Ｚａ）で被覆して被覆繊維生地部分（Ｚａｐ）を形成する。
【００５１】
そして、図１乃至図１１で説明したと同様に、雌側取付具（Ｘ２）は、被覆繊維生地部分（Ｚａｐ）及び被覆繊維生地部分（Ｚａｐ）で被覆した突起（１）を挿入穴（５）及び弾性部材（６）に挿通し、弾性部材（６）を被覆繊維生地部分（Ｚａｐ）で被覆した環状溝（２）内に装着する。また、雌側取付具（Ｘ２）は、弾性部材（６）の環状溝（２）への装着に伴って、弾性部材（６）で被覆繊維生地部分（Ｚａｐ）を突起（１）に付勢する［図１５（ｂ）参照］。
これにより、雄側取付具（Ｘ１）、及び雌側取付具（Ｘ２）は、相互に一体化され、環状溝（２）内において、突起（１）及び弾性部材（６）で被覆繊維生地部分（Ｚａｐ）を挟み込んで、アクセサリ（Ｘ３）をパンティーストッキング（Ｚ：下肢衣類）の表面（Ｚ１）に取付ける。
【００５２】
＜アクセサリ（Ｘ３）の取外＞
図１６において、アクセサリ（Ｘ３）をパンティーストッキング（Ｚ：下肢衣類）に取付けると、掴み部（１０）は、繊維生地（Ｚａ）の裏面（Ｚ１）に配置される。
このとき、掴み部（１０）は、突起（１）外側に位置するので、被覆繊維生地部分（Ｚａｐ）で被覆した環状溝（２）から弾性部材（６）を抜出す方向へ引張自在である。
【００５３】
続いて、図１６に示すように、例えば、人差指（Ｆ２）を繊維生地（Ｚａ）の裏面（Ｚ２）及び掴み部（１０）の間に挿入し、人差指（Ｒ２）を掴み部（１０）の表側面（１０ａ）に配置する。また、例えば、親指（Ｆ１）を掴み部（１０）の裏側面（１０ｂ）に配置し、親指（Ｆ１）及び人差指（Ｆ２）で掴み部（１０）を掴む。
掴み部（１０）は、突起（１）外側に延設され、突起（１）から離間する方向（Ｐ）に傾斜しているので、人の手指を繊維生地（Ｚａ）の裏面（Ｚ２）及び掴み部（１０）の間に容易に挿入できる。
【００５４】
そして、繊維生地（Ｚａ）の表面（Ｚ１）からアクセサリ（Ｘ３）を掴んで、掴み部（１０）を繊維生地（Ｚａ）の裏面（Ｚ２）、雌側取付具（Ｘ２）から離間する方向（Ｐ）へ引張る（図１６参照）。このとき、雄側取付具（Ｘ１）の突起（１）も掴み部（１０）に追従して引張られる。
図１０及び図１１で説明したと同様に、雌側取付具（Ｘ２）の弾性部材（６）は、被覆繊維生地部分（Ｚａｐ）で被覆した環状溝（２）から抜出される。また、被覆繊維生地部分（Ｚａｐ）で被覆した突起（１）は、弾性部材（６）及び挿入穴（５）から抜出される。
これにより、雄側取付具（Ｘ１）及び雌側取付具（Ｘ２）は、被覆繊維生地部分（Ｚａｐ）の挟み込みを解放し、相互に分離される。
【００５５】
続いて、アクセサリ（Ｘ３）及び雌側取付具（Ｘ２）を繊維生地（Ｚａ）の表面（Ｚ１）から取外す。
【００５６】
図１乃至図１６において、アクセサリ取付装置（Ｘ）では、被覆線機生地部分（Ｚａｐ９で被覆した突起（１）を挿入穴（５）及び弾性部材（６）に挿通するだけで、アクセサリ（Ｘ３）をパンティーストッキング（Ｚ：下肢衣類）に取付けることができる。これにより、アクセサリ（Ｘ３）の取付は、簡単、容易となる。
また、アクセサリ取付装置（Ｘ）では、掴み具（Ｘ５）を引張るだけで、アクセサリ（Ｘ３）をパンティーストッキング（Ｚ：下肢衣類）から取外すことができる。これにより、直接、雄側取付具（Ｘ１）及び雌側取付具（Ｘ２）を掴んで、無理矢理引張ることなく、簡単及び容易に、アクセサリ（Ｘ３）を取外すことが可能となる。
【００５７】
＜実施形態３＞
アクセサリ取付装置（Ｘ）では、図１及び図１４に示すように、繊維生地（Ｚａ）の表面（Ｚ１）に配置される雄側取付具（Ｘ１）又は雌側取付具（Ｘ２）に、掴み具（Ｘ５）を設ける構成も採用できる。また、雄側取付具（Ｘ１）及び雌側取付具（Ｘ２）の夫々に、掴み具（Ｘ５）を設ける構成も採用できる。
【００５８】
＜実施形態４＞
図１７乃至図１９において、アクセサリ取付装置（Ｘ）は、アクセサリ（Ｘ３）の取付前において、繊維生地（Ｚａ）を挟むことなく、雄側取付具（Ｘ１）及び雌側取付具（Ｘ２）を相互に一体化する。
また、アクセサリ取付装置（Ｘ）は、アクセサリ（Ｘ３）を被取付体（１５）に取付ける（図１９参照）。
アクセサリ（Ｘ３）の取付前とは、アクセサリ（Ｘ３）をパンティーストッキング（Ｚ：下肢衣類）に取付ける前の状態（未使用時）を意味する。また、被取付体（１５）としては、鞄、携帯端末（携帯電話、スマートフォン等）等で構成され、例えばスマートフォン（以下、「スマートフォン（１５）」と称する）でなる。
【００５９】
アクセサリ取付具（Ｘ）は、図１７乃至図１９に示すように、雄側取付具（Ｘ１）、雌側取付具（Ｘ２）、アクセサリ（Ｘ３）、掴み具（Ｘ５）及び連結具（Ｘ６）を備えている。
【００６０】
雄側取付具（Ｘ１）は、図１８に示すように、突起（１）及び環状溝（２）を有し、図１乃至図３と同一構成である。
雌側取付具（Ｘ２）は、図１７に示すように、雌側本体（３）、挿入穴（５）及び弾性部材（６）を有し、図４乃至図６と同一構成である。
【００６１】
掴み具（Ｘ５）は、図１７に示すように、複数（２つ）の掴み部（８）、（７）を有し、図４乃至図６と同一構成である。各掴み部（８）、（９）は、連結穴（１６）を有している。各連結穴（１６）、（１６）は、挿入穴（６）の穴中心線（ｄ）の方向で各掴み部（８）、（９）を夫々挿通（貫通）している。なお、連結穴（１６）は、一方側の掴み部のみに形成しても良い。
【００６２】
連結具（Ｘ６）は、図１９に示すように、例えば鎖線材、紐、ナス環等でなるストラップ（１７）で構成される。
ストラップ（１７）は、連結穴（１６）に挿通して、掴み具（Ｘ５）の各掴み部（８）、（９）に取付、又は取外自在である。
【００６３】
図１８において、雄側取付具（Ｘ１）、及び雌側取付具（Ｘ２）は、アクセサリ（Ｘ３）の取付前において、図１乃至図１１で説明したと同様に、突起（１）を挿入穴（５）及び弾性部材（６）に挿通し、弾性部材（６）を環状溝（２）内に装着する。また、弾性部材（６）の環状溝（２）への装着に伴って、弾性部材（６）を突起（１）に付勢する。
これにより、雄側取付具（Ｘ１）及び雌側取付具（Ｘ２）は、相互に一体化され、アクセサリ（Ｘ３）を雌側本体（３）の表側面（３ａ）に配置する［図１８（ａ）参照］。
【００６４】
また、雄側取付具（Ｘ１）及び雌側取付具（Ｘ２）を一体化すると、掴み部（１０）は、挿入穴（５）の穴中心線（ｄ）に直交する方向（Ｈ）で雌側本体（１）外側に位置するので、環状溝（２）から弾性部材（６）を抜出す方向（Ｑ）へ引張自在である（図１８参照）。
そして、図１乃至図１１で説明したと同様に、例えば、一方側の掴み部（８）を掴んで、環状溝（２）から弾性部材（６）を抜出す方向（Ｑ）を引張る。雌側取付具（Ｘ２）の弾性部材（６）は、図１８（ｂ）に示すように、環状溝（２）から抜出され、突起（１）は弾部材（６）及び挿入穴（５）から抜出される。
これにより、雄側取付具（Ｘ１）及び雌側取付具（Ｘ２）は、相互に分離される。
【００６５】
そして、雄側取付具（Ｘ１）及び雌側取付具（Ｘ２）を一体化すると、図１９に示すように、ストラップ（１７）を掴み部（８）の連結穴（１６）に挿通し、掴み具（Ｘ５）に連結する。
続いて、連結具（Ｘ６）のストラップ（１７）は、スマートフォン（１０）に連結され、雄側取付具（Ｘ１）、雌側取付具（Ｘ２）及びアクセサリ（Ｘ３）をスマートフォン（１０：被取付体）に取付ける。
なお、アクセサリ（Ｘ３）をパンティーストッキング（Ｚ：下肢衣類）に取付ける時には、ストラップ（１０）を掴み部（８）から取外す。
【００６６】
図１７乃至図１９において、アクセサリ（Ｘ３）をパンティーストッキング（Ｚ：下肢衣類）に取付けない場合（取付前）には、雄側取付具（Ｘ１）及び雌側取付具（Ｘ２）を一体化し、ストラップ（１７）で被取付体（１５）に取付けることができるので、紛失を防止できる。
また、アクセサリ（Ｘ３）を被取付体（１５）に取付けると、被取付体（１５）のデザイン性、装飾性を高めることができる。
なお、連結具（１９）は、雌側取付具（Ｘ２）の雌側本体（１）に対し、取付又は取外自在としても良い。
【産業上の利用可能性】
【００６７】
本考案は、アクセサリ（装飾品）を衣類に取付けるのに好適である。
【符号の説明】
【００６８】
Ｘ  アクセサリ取付装置
Ｘ１  雄側取付具
Ｘ２  雌側取付具
Ｘ３  アクセサリ
Ｘ５  掴み具
１  突起
２  環状溝
３  雌側本体
５  挿入穴
６  弾性部材
Ｚ  パンティーストッキング（衣類、下肢衣類）
Ｚａ  繊維生地
Ｚａｐ  被覆繊維生地部分
【図１】
0003176791.tif 000003
【図２】
0003176791.tif 000004
【図３】
0003176791.tif 000005
【図４】
0003176791.tif 000006
【図５】
0003176791.tif 000007
【図６】
0003176791.tif 000008
【図７】
0003176791.tif 000009
【図８】
0003176791.tif 000010
【図９】
0003176791.tif 000011
【図１０】
0003176791.tif 000012
【図１１】
0003176791.tif 000013
【図１２】
0003176791.tif 000014
【図１３】
0003176791.tif 000015
【図１４】
0003176791.tif 000016
【図１５】
0003176791.tif 000017
【図１６】
0003176791.tif 000018
【図１７】
0003176791.tif 000019
【図１８】
0003176791.tif 000020
【図１９】
0003176791.tif 000021
【図２０】
0003176791.tif 000022